(57)【特許請求の範囲】
【請求項１】
操向ハンドル（５）を回動可能に支持するヘッドパイプ（３）と、該ヘッドパイプ（３）に一端部が接続されて下方に伸びる車体フレーム（６）と、燃料ガスと反応ガスとの化学反応により発電する燃料電池（１８）と、該燃料電池（１８）に供給する燃料ガスを貯蔵する複数の水素ボンベ（１０Ｌ，１０Ｒ）とを備え、前記操向ハンドル（５）と乗員が着座するシートとの間に低床式の足乗せ部（１４）が形成され、前記燃料電池（１８）が前記シート（１５）の下方に配設されている鞍乗型燃料電池車両（１）において、
前記水素ボンベ（１０Ｌ，１０Ｒ）は、前記車体フレーム（６）の車幅方向左右で、その長手方向を縦向きにして前記車体フレーム（６）に沿うように配設されており、
前記水素ボンベ（１０Ｌ，１０Ｒ）の上端部が、車体側面視で前記ヘッドパイプ（３）に重なる位置まで延在され、下端部は、前記足乗せ部（１４）より上方に配置されていることを特徴とする鞍乗型燃料電池車両。
【請求項２】
前記足乗せ部（１４）は、前記左右水素ボンベ（１０Ｌ，１０Ｒ）の幅内に設けられており、
前記足乗せ部（１４）の前端部は、前記車体フレーム（６）の垂直部分より後方に位置することを特徴とする請求項１に記載の鞍乗型燃料電池車両。
【請求項３】
前記水素ボンベ（１０Ｌ，１０Ｒ）には、燃料ガスの供給口（９９）が設けられており、
前記水素ボンベ（１０Ｌ，１０Ｒ）のうちの少なくとも１つは、前記供給口（９９）が下側に位置するように配置されていることを特徴とする請求項１または２に記載の鞍乗型燃料電池車両。
【請求項４】
前記水素ボンベ（１０Ｌ，１０Ｒ）には、前記供給口（９９）に隣接して、燃料ガスを充填する充填口（６８）が設けられており、
前記水素ボンベ（１０Ｌ，１０Ｒ）の少なくとも１つは、前記充填口（６８）が上側に位置するように取り付けられていることを特徴とする請求項３に記載の鞍乗型燃料電池車両。
【請求項５】
前記車体フレーム（６）は、左右一対のメインフレーム（６）と、該メインフレーム（６）の下方で該メインフレーム（６）に沿って配設される左右一対のアンダフレーム（７）とからなり、
前記水素ボンベ（１０Ｌ，１０Ｒ）による燃料供給量を調整する燃料供給ユニット（２８）を備え、
前記燃料供給ユニット（２８）が、前記メインフレーム（６）とアンダフレーム（７）とに囲まれた空間に配設されていることを特徴とする請求項１ないし４のいずれかに記載の鞍乗型燃料電池車両。
【請求項６】
前記水素ボンベ（１０Ｌ，１０Ｒ）を前記車体フレーム（６）に固定する固定部材（６１）と、
前記車体フレーム（６）に連結されて前記水素ボンベ（１０Ｌ，１０Ｒ）の周囲を囲む保護部材（９）とを具備することを特徴とする請求項１ないし３のいずれかに記載の鞍乗型燃料電池車両。
【請求項７】
前記保護部材（９）に、緩衝部材からなる保護パッド（１３）が取り付けられており、
前記保護パッド（１３）の一部が、外装部品（１１）に形成された開口部から外方に臨むように構成されていることを特徴とする請求項６に記載の鞍乗型燃料電池車両。
【請求項８】
前記鞍乗型燃料電池車両（１）は、左右一対の後輪（ＷＲ）を有する三輪車両であり、
前記水素ボンベ（１０Ｌ，１０Ｒ）は、前記後輪（ＷＲ）の外端幅より内側に収まるように取り付けられていることを特徴とする請求項１ないし７のいずれかに記載の鞍乗型燃料電池車両。
【請求項９】
前記水素ボンベ（１０Ｌ，１０Ｒ）が、車体側面視で、前記ヘッドパイプ（３）がすべて隠れる位置に配設されていることを特徴とする請求項１ないし８のいずれかに記載の鞍乗型燃料電池車両。
【請求項１０】
前記水素ボンベ（１０Ｌ，１０Ｒ）が、車体側面視で、前記メインフレーム（６）およびアンダフレーム（７）の一部が隠れる位置に配設されていることを特徴とする請求項５に記載の鞍乗型燃料電池車両。
【請求項１１】
前記水素ボンベ（１０Ｌ，１０Ｒ）の下方の前記保護部材（９）には、所定角度を超えて車体が傾斜した際に最初に路面に設置するスライダ（６２Ｌ，６２Ｒ）が取り付けられていることを特徴とする請求項６に記載の鞍乗型燃料電池車両。
【請求項１２】
前記スライダ（６２Ｌ，６２Ｒ）は、前記水素ボンベ（１０Ｌ，１０Ｒ）の栓部材（６７）を覆う位置に配設されていることを特徴とする請求項１１に記載の鞍乗型燃料電池車両。
【請求項１３】
前記固定部材（６１）は、前記メインフレーム（６）からアンダフレーム（７）にわたって取り付けられる帯状部材であることを特徴とする請求項１１に記載の鞍乗型燃料電池車両。
【発明の詳細な説明】
【技術分野】
【０００１】
本発明は、鞍乗型燃料電池車両に係り、特に、十分な広さの足乗せ部を確保しながら、燃料タンクの大型化を図ることができる鞍乗型燃料電池車両に関する。
【背景技術】
【０００２】
従来から、燃料ガスとしての水素と反応ガス（空気）に含まれる酸素との化学反応で発電する燃料電池を備え、燃料電池からの供給電力でモータを駆動する燃料電池車両が知られている。通常、このような燃料電池車両には、燃料電池に供給する水素を貯蔵する燃料タンクが備えられている。
【０００３】
特許文献１には、円筒状の複数の燃料タンクを積載するスクータ型の鞍乗型燃料電池二輪車が開示されている。複数の燃料タンクは、車体のヘッドパイプに接続されて後方下方に延びる車体フレームの下方側において、その長手方向を車体フレームの向きに沿わせるように配設されている。
【特許文献１】ＣＮ１４８２０３２Ａ
【発明の開示】
【発明が解決しようとする課題】
【０００４】
しかしながら、特許文献１に示される配置構造では、航続距離を伸ばすために燃料タンクを大型化しようとすると、前輪との干渉や車幅の増大、足乗せ部のスペースが十分に確保できなくなる等の課題が生じやすかった。
【０００５】
本発明の目的は、上記従来技術の課題を解決し、十分な広さの足乗せ部を確保しながら、燃料タンクの大型化を図ることができる鞍乗型燃料電池車両を提供することにある。
【課題を解決するための手段】
【０００６】
前記目的を達成するために、本発明は、操向ハンドルを回動可能に支持するヘッドパイプと、該ヘッドパイプに一端部が接続されて下方に伸びる車体フレームと、燃料ガスと反応ガスとの化学反応により発電する燃料電池と、該燃料電池に供給する燃料ガスを貯蔵する複数の燃料タンクとを備え、前記操向ハンドルと乗員が着座するシートとの間に低床式の足乗せ部が形成され、前記燃料電池が前記シートの下方に配設されている鞍乗型燃料電池車両において、前記燃料タンクは、前記車体フレームの車幅方向左右で、その長手方向を縦向きにして前記車体フレームに沿うように配設されており、前記燃料タンクの上端部が、車体側面視で前記ヘッドパイプに重なる位置まで延在され、下端部は、前記足乗せ部より上方に配置されている点に第１の特徴がある。
【０００７】
また、前記足乗せ部は、前記左右燃料タンクの幅内に設けられており、前記足乗せ部の前端部は、前記車体フレームの垂直部分より後方に位置する点に第２の特徴がある。
【０００８】
また、前記燃料タンクには、燃料ガスの供給口が設けられており、前記燃料タンクのうちの少なくとも１つは、前記供給口が下側に位置するように配置されている点に第３の特徴がある。
【０００９】
また、前記燃料タンクには、前記供給口に隣接して、燃料ガスを充填する充填口が設けられており、前記燃料タンクの少なくとも１つは、前記充填口が上側に位置するように取り付けられている点に第４の特徴がある。
【００１０】
また、前記車体フレームは、左右一対のメインフレームと、該メインフレームの下方で該メインフレームに沿って配設される左右一対のアンダフレームとからなり、前記燃料タンクによる燃料供給量を調整する燃料供給ユニットを備え、前記燃料供給ユニットが、前記メインフレームとアンダフレームとに囲まれた空間に配設されている点に第５の特徴がある。
【００１１】
また、前記燃料タンクを前記車体フレームに固定する固定部材と、前記車体フレームに連結されて前記燃料タンクの周囲を囲む保護部材とを具備する点に第６の特徴がある。
【００１２】
また、前記保護部材に、緩衝部材からなる保護パッドが取り付けられており、前記保護パッドの一部が、外装部品に形成された開口部から外方に臨むように構成されている点に第７の特徴がある。
【００１３】
さらに、前記鞍乗型燃料電池車両は、左右一対の後輪を有する三輪車両であり、前記燃料タンクは、前記後輪の外端幅より内側に収まるように取り付けられている点に第８の特徴がある。
【発明の効果】
【００１４】
第１の特徴によれば、燃料タンクは、車体フレームの車幅方向左右でその長手方向を縦向きにして前記車体フレームに沿うように配設されており、燃料タンクの上端部が、車体側面視でヘッドパイプに重なる位置まで延在され、下端部は、足乗せ部より上方に配置されているので、燃料タンクが足乗せ部と干渉することがなく、足乗せ部の十分なスペースを確保しながら、大型の燃料タンクを積載することが可能となる。また、燃料タンクを車体フレームの後方側等に配置する構成に比して、車幅方向左右に連続して平坦な足乗せ部の床部を形成することが容易になる。
【００１５】
第２の特徴によれば、足乗せ部は、左右燃料タンクの幅内に設けられており、足乗せ部の前端部は、車体フレームの垂直部分より後方に位置するので、乗員の足に走行風が当たりにくくなると共に、燃料タンクと足乗せ部の干渉が一層避けられて、足乗せ部の床部をより簡単な形状とすることができる。
【００１６】
第３の特徴によれば、燃料タンクには燃料ガスの供給口が設けられており、燃料タンクのうちの少なくとも１つは、前記供給口が下側に位置するように配置されているので、燃料ガスの供給口が下方に向けられることで、供給口と燃料電池との距離が短くなり、燃料ガスの供給管路を短縮して圧力損失を低減することが可能となる。
【００１７】
第４の特徴によれば、燃料タンクには、供給口に隣接して燃料ガスを充填する充填口が設けられており、燃料タンクの少なくとも１つは、充填口が上側に位置するように取り付けられているので、充填口が車体の上部側に位置し、充填口にアクセスしやすく燃料ガスの充填作業が容易になる。
【００１８】
第５の特徴によれば、前記車体フレームは、左右一対のメインフレームと、該メインフレームの下方で該メインフレームに沿って配設される左右一対のアンダフレームとからなり、前記燃料タンクによる燃料供給量を調整する燃料供給ユニットを備え、前記燃料供給ユニットが、前記メインフレームとアンダフレームとに囲まれた空間に配設されているので、車体フレーム間のスペースを有効に利用して燃料供給ユニットを配置できる。また、車体フレームによって燃料供給ユニットを保護できるようになる。
【００１９】
第６の特徴によれば、前記燃料タンクを前記車体フレームに固定する固定部材と、前記車体フレームに連結されて前記燃料タンクの周囲を囲む保護部材とを具備するので、燃料タンクを車体フレームに安定的に固定できると共に、保護部材によって燃料タンクを保護することが可能となる。
【００２０】
第７の特徴によれば、保護部材に、緩衝部材からなる保護パッドが取り付けられており、保護パッドの一部が外装部品に形成された開口部から外方に臨むように構成されているので、保護パッドによって燃料タンクを一層保護することができる。また、保護パッドを、外装部品の位置決めガイドとして使用したり、外装部品の一部としてデザイン的に機能させることが可能となる。
【００２１】
第８の特徴によれば、鞍乗型燃料電池車両は左右一対の後輪を有する三輪車両であり、燃料タンクは、後輪の外端幅より内側に収まるように取り付けられているので、後輪の外端が接地する状態でも燃料タンクが接地することがなく、燃料タンクの保護を図ることができる。
【発明を実施するための最良の形態】
【００２２】
以下、図面を参照して本発明の好ましい実施の形態について詳細に説明する。図１および図２は、本発明の一実施形態に係る鞍乗型燃料電池車両１の側面図および上面図である。鞍乗型燃料電池車両１は、操舵輪としての前輪ＷＦを１本とするのに対して、モータで駆動する後輪ＷＲを車幅方向に離隔して２本取り付けた電動三輪車両であり、操向ハンドルと着座シートとの間に、低床式の足乗せ部が設けられたスクータ型の車体構成を有している。また、鞍乗型燃料電池車両１は、複数のセルが積層されて燃料電池を構成するセルスタックと、該セルスタックに燃料の水素ガスを供給する燃料（水素）ガス供給系と、該セルスタックに酸素を含む反応ガス（空気）を供給する反応ガス供給系とから構成される燃料電池発電システムを備え、燃料電池による発電電力または該電力を蓄積する二次電池からの供給電力によってモータを駆動して走行する。
【００２３】
車体フレームの前端に位置するヘッドパイプ３には、ボトムリンク式のフロントサスペンション２を支持するステアリングステム４が回動自在に軸支されている。フロントサスペンション２の下端部には、操舵輪としての前輪ＷＦが回転自在に軸支されている。前輪ＷＦは、ステアリングステム４に結合された操向ハンドル５によって操舵することができる。左右一対のメインフレーム６は、ヘッドパイプ３に接続されて下方後方に延びた後、車体下部で大きく屈曲して車体後方側に延びる形状を有している。メインフレーム６の下方には、メインフレーム６に沿った形状を有する左右一対のアンダフレーム７が配設されている。このアンダフレーム７も、メインフレーム６と同様に、ヘッドパイプ３に接続されて下方後方に延びる垂直部分と、車体下部で大きく屈曲して車体後方側に延びる水平部分とを有する。アンダフレーム７の後端部は、上方に大きく屈曲してメインフレーム６と接続されており、この接続部の後方のメインフレーム６の後端部は、車体後方側で荷台２２を支えるリヤフレーム８に連結されている。荷台２２の内部には、燃料電池１８によって発電した電力を蓄積する二次電池８５が収納されている。
【００２４】
略直方体の燃料電池１８は、乗員１００が着座するシート１５の下方の位置に、車体後方側へ所定角度（例えば、３０度）傾斜した状態で取り付けられている。燃料電池１８の車幅方向左右には、燃料電池１８を冷却するためのラジエータ２０Ｌ，２０Ｒが隣接配設されている。燃料電池１８の背面側には、ラジエータの冷却水を圧送するアクチュエータとしての電動ポンプ１９が配設されている。また、燃料電池１８の前面側には、燃料電池１８に供給する反応ガスを加湿するため加湿器１７が取り付けられている。略円筒状の加湿器１７は、シート１５の下方で車幅方向中央に配設されている。
【００２５】
前記シート１５と操向ハンドル５との間には、低床式の足乗せ部１４が設けられている。この足乗せ部１４は、走行中に乗員の両足が置かれる平坦な床面を、樹脂板等で構成したものであり、本実施形態では、車幅方向で左右対称の形状とされている。加湿器１７の車体前後のメインフレーム６の上面には、足乗せ部１４の樹脂板を支持するためのステー２７が取り付けられている。また、足乗せ部１４の前方下方の位置で、メインフレーム６とアンダフレーム７とに囲まれた空間には、燃料電池１８に反応ガスを圧送するアクチュエータとしての過給機１６が配設されている。
【００２６】
鞍乗型燃料電池車両１の車体は、車体フレームおよび前輪ＷＦを含む車体前方の前車体１ａと、該前車体１ａに連結される後車体１ｂとから構成されている。後輪ＷＲを含む後車体１ｂと前車体１ａとは、連結機構２３で連結されている。ショックユニット３１は、連結機構２３の一部と、左右一対のリヤフレーム８の間に設けられた取付フレーム（不図示）に取り付けられ、上下方向のショックを吸収している。連結機構２３には、ラバーダンパを使用したナイトハルトスイング機構が適用されており、これにより、２本の後輪を路面に接地させたまま前車体１ａをバンクさせて旋回走行することが可能となる。後輪ＷＲに駆動力を与える駆動モータと減速機構とを一体的に収納したパワーユニット２４は、後車体１ｂのベース部材２５の後方寄りで左右の後輪ＷＲの間に取り付けられている。パワーユニット２４から出力される駆動力は、車軸２６によって後輪ＷＲに伝達される。後車体１ｂの後輪ＷＲの間には、モータ制御ユニット等からなる複数の駆動系電装部品４５が取り付けられている。略直方体の大小の部品からなる駆動系電装部品４５は、駆動モータを制御するモータ制御ユニットとしてのモータドライバ、直流電流の電圧値を所定値に変換するＤＣ−ＤＣコンバータ、燃料電池１８からの供給電圧を昇圧または降圧する電圧変換器（ＶＣＵ）、モータ制御ユニットとしてのメインＣＰＵ、前記過給機１６を駆動するための制御ドライバ、前記電動ポンプ１９を駆動するための制御ドライバ、複数のヒューズを収納するヒューズボックスを含む。
【００２７】
ヘッドパイプ３の車幅方向左右には、メインフレーム６およびアンダフレーム７を左右から挟むようにして左右一対の水素ボンベ１０Ｌ，１０Ｒが取り付けられている。前記足乗せ部１４は、燃料タンクとしての水素ボンベ１０Ｌ，１０Ｒの車幅方向端間の内側に収まるように形成されている。本実施形態では、左右の水素ボンベが車体フレームの左右に振り分けられて配設されるので、水素ボンベが足乗せ部１４側に大きく張り出すことがなく、車幅方向に連続して平坦な足乗せ部１４を形成することが容易である。燃料タンクとしての水素ボンベ１０Ｌ，１０Ｒの前方および側方は、メインフレーム６に連結されたガードパイプ９で囲まれている。また、左側の水素ボンベ１０Ｌの前方上方には、反応ガスとなる外気（空気）を濾過するためのエアクリーナボックス１２が配設されている。車両前方側は、樹脂の薄板等で形成された外装部品としてのカウリング１１で覆われている。ガードパイプ９の前方側に取り付けられた保護パッド１３は、カウリング１１に形成された開口部からその一部が外方に臨むように配設されている。
【００２８】
左右のラジエータ２０Ｌ，２０Ｒは、車体側面視において、上部を前方に傾けるようにして取り付けられている。また、車体上面視においては、車体前方からの走行風を受け止めやすいように、走行風を受ける平面部を車体内側に傾けるようにして取り付けられている。燃料電池１８の後方上部には、冷却水のリザーブタンク２１が取り付けられており、該リザーブタンク２１の上部には水素センサ４１が配設されている。
【００２９】
左右の水素ボンベ１０Ｌ，１０Ｒの間で、かつ左右のメインフレーム６およびアンダフレーム７に囲まれた空間には、燃料電池１８への水素供給量の制御部等を含む水素供給ユニット２８が配設されている。また、燃料電池１８には、加湿器１７によって加湿された反応ガスを燃料電池１８の上部から供給する吸入側マニホールド２９と、燃料電池１８の内部で化学反応し切れなかった未反応ガスを燃料電池１８の下部から排気する排出側マニホールド３０とが取り付けられている。
【００３０】
図３は、水素ボンベの配置構造を示す側面図である。前記と同一符号は、同一または同等部分を示す。燃料タンクとしての水素ボンベ１０Ｌ，１０Ｒは、金属等で形成された帯状の固定部材６１を用いて、車体フレームとしてのメインフレーム６およびアンダフレーム７に取り付けられている。足乗せ部１４は、乗員の足を載せる左右車幅方向連続して平坦な床部であり、足乗せ部１４の前端部１４ａは、乗員の足のつま先が車体フレームのカバー部材等に当接してそれ以上前方に出せない部分を指す。アンダフレーム７は、主に、ヘッドパイプ３に接続されて下方に伸びる垂直部分と、垂直部分の下部で大きく屈曲して車体前後方向に伸びる水平部分とから構成されており、足乗せ部１４の前端部１４ａは、アンダフレーム７の垂直部分の後方に位置するように構成されている。
【００３１】
そして、略円筒状の水素ボンベ１０Ｌ，１０Ｒは、その長手方向を縦向きにすると共に、左右一対のメインフレーム６およびアンダフレーム７からなる車体フレームを車幅方向左右外側から挟むようにしてそれぞれ配設されている。このとき、水素ボンベ１０Ｌ，１０Ｒは、その上端部が、車体側面視でヘッドパイプ３に重なる位置まで延在するように車体フレームに沿って配設されており、下端部は、足乗せ部１４より上方に位置するように設定されている。このような配置構成によれば、足乗せ部と水素ボンベとが干渉することがないので、比較的大きな水素ボンベを積載した場合でも、十分な足乗せ部の面積を確保することが可能となる。これにより、足乗せ部のレイアウトの自由度が高められる。また、足乗せ部１４の前端部１４ａは、アンダフレーム７の垂直部分の後方に配設されているので、水素ボンベ１０Ｌ，１０Ｒと足乗せ部１４との干渉が一層避けられて、足乗せ部１４の床部をより簡単な形状とすることができる。また、足乗せ部１４は、水素ボンベ１０Ｌ，１０Ｒの車幅方向端間の内側に収まるように形成されるので、車体前方からの走行風が乗員の足に直接当たりにくくすることができる。なお、足乗せ部１４の前端部１４ａは、アンダフレーム７の垂直部分の後方に配設されるメインフレーム６よりさらに後方に位置するように構成してもよい。
【００３２】
水素ボンベを囲む保護部材としてのガードパイプ９には、その車体前方側に突き出るように保護パッド１３が取り付けられている。外方からの力を吸収する樹脂等で形成される保護パッド１３は、水素ボンベ１０Ｌ，１０Ｒの車体前方側を守る機能を有する。なお、保護パッド１３は、カウリング１１の開口部からその一部が外方に臨むように配設することで、カウリング１１の位置決めガイドとして使用したり、また、車体前面の外装部品の一部としてデザイン的に機能させることが可能である。
【００３３】
保護パッド１３の近傍のガードパイプ９の上部には、カウリング１１を支持する左右一対のカウルステー６０Ｌ，６０Ｒが取り付けられている。ガードパイプ９は、保護パッド１３の車体後方で、複数のパイプ部材によってヘッドパイプ３と連結されている。また、水素ボンベ１０Ｌ，１０Ｒの側方のガードパイプ９には、円筒状のサイド保護パッド６３が取り付けられ、車幅方向左右からガードパイプ９に加えられる力を吸収することができる。サイド保護パッド６３の下方には、左右一対のスライダ６２Ｌ，６２Ｒが取り付けられている。該スライダ６２Ｌ，６２Ｒは、所定角度を超えて車体が傾斜した際に、最初に路面に接地することで水素タンク１０Ｌ，１０Ｒを保護することができる。なお、スライダ６２Ｌ，６２Ｒも、その接地部をカウリング１１の外方に臨ませる等の手法によって、外観上のアクセントとして利用可能である。
【００３４】
図４は、水素ボンベの配置構造を車体上方から見た斜視図である。前記と同一符号は、同一または同等部分を示す。水素タンク１０Ｌ，１０Ｒは、略円筒状のタンク本体部の一端側に、燃料供給口９９を有するブロック状の栓部材６７を取り付けた構成とされている。燃料電池１８に供給される水素ガスは、まず、燃料供給口９９に接続される供給管６９によって、集合部６６を介して水素供給ユニット２８に導入される。そして、水素供給ユニット２８は、燃料電池１８の要求発電量等に応じた最適量の水素ガスを、供給管７０を介して燃料電池１８に供給する。供給管７０の他端部（不図示）は、足乗せ部１４の下方を通り、シート１５の下部に配設された燃料電池１８に連結される。
【００３５】
上記したように、本実施形態では、水素ボンベ１０Ｌ，１０Ｒがともに燃料供給口９９を下方に向けて取り付けられているので、燃料供給口９９から燃料電池１８までの距離が短くなり、水素ガスの供給管を短縮して圧力損失を低減することが可能となる。また、どちらか一方のボンベのみが燃料供給口９９を下方に向けて取り付けられた場合でも、両方のボンベが燃料供給口９９を上方に向けて取り付けられた場合に比して、供給管６９の長さを短くすることができる。なお、水素ボンベ１０Ｌ，１０Ｒに水素を充填する充填口６８は、燃料供給口９９に隣接して栓部材６７に取り付けられている。
【００３６】
水素供給ユニット２８は、車幅方向中央で、左右一対のメインフレーム６およびアンダフレーム７で四方を囲まれた空間に配設されている。このような配置によれば、ヘッドパイプ３の後方で車体フレームに囲まれた空間を有効利用できると共に、車体フレームによって水素供給ユニット２８を保護することができる。また、ヘッドパイプ３の前面部には、センタ補強パイプ６４およびサイド補強パイプ６５Ｌ，６５Ｒがトラス構造を構成するように配設されて、前記ガードパイプ９と結合されている。これにより、ガードパイプ９を含む構造体の強度が高められ、保護パッド１３に加えられた外力が水素ボンベに伝達されることを一層防止できる。また、車体フレームに対するヘッドパイプ３のねじれ剛性等が増すことで、車両のハンドリングを向上させることが可能となる。
【００３７】
図５は、水素ボンベの配置構造を示す正面図である。また、図６は、図５のＡ−Ａ線断面を示す模式図である。前記と同一符号は、同一または同等部分を示す。本実施形態では、メインフレーム６およびアンダフレーム７とに囲まれた空間に水素供給ユニット２８を収納し、この水素供給ユニット２８を左右から挟むように水素ボンベ１０Ｌ，１０Ｒが配設されている。これにより、メインフレーム６とアンダフレーム７との間の空間に、水素ボンベの外周部を若干入れ込むことができるので、水素供給ユニット２８と水素ボンベ１０Ｌ，１０Ｒとが車体フレームを挟んで近接して配置されることとなり、車幅方向の寸法が最小限に抑えられるので、水素ボンベの大型化が容易となる。
【００３８】
また、本実施形態に係る配置構造によれば、万一、水素ボンベ１０Ｌ，１０Ｒが外力によって車体内側に移動された場合でも、車体フレームに当接した時点で止まるので、水素供給ユニット２８とは接触することがない。この場合には、水素ボンベそのものが、水素供給ユニット２８を外力から保護する機能を発揮することとなる。また、水素ボンベ１０Ｌ，１０Ｒは、左右の後輪ＷＲの外端間より内側に配設されている。これにより、後輪ＷＲの外端面が接地する状態でも、水素ボンベ１０Ｌ，１０Ｒは接地することがなく、水素ボンベの保護を図ることができる。また、水素ガスを供給する各配管も、車体フレームおよびガードパイプ９の内側に配設され保護される。さらに、本実施形態においては、スライダ６２Ｌ，６２Ｒは、両水素ボンベの栓部材６７を覆うように配設されており、燃料供給口９９や充填口６８、供給管６９の一層の保護が図られている。
【００３９】
図７は、水素ボンベの配置構造の変形例を示す模式図である。前記と同一符号は、同一または同等部分を示す。本変形例では、左側の水素ボンベ１０Ｌの上下方向を逆向きとし、充填口６８が車体上側に向くように配設している。充填口は各ボンベに設けられているが、それぞれのボンベは配管で連結されているので、１つのボンベの充填口からすべてのボンベに充填することが可能である。本変形例では、集合部６６によって経路を切り替えると、左側の水素ボンベ１０Ｌの充填口６８から、供給パイプ１０１，１０２を介して右側の水素ボンベ１０Ｒにも充填することができる。上記したような配置構造によれば、左側の水素ボンベ１０Ｌの充填口６８がヘッドパイプ３の近傍に位置することとなり、充填口６８にアクセスしやすく充填作業が容易になる。
【００４０】
水素ボンベの形状や配設位置、車体フレームやガードパイプの形状、保護パッドの配設位置や形状、水素供給ユニットの構成等は、上記実施形態に限られず種々の変更が可能である。例えば、ヘッドパイプに接続されて車体後方に伸びる車体フレームは、左右一対のメインフレームのみとしてもよい。また、鞍乗型燃料電池車両の形態は、上記したような三輪車に限られず、二輪車や四輪車とすることができる。
【図面の簡単な説明】
【００４１】
【図１】本発明の一実施形態に係る鞍乗型燃料電池車両の側面図である。
【図２】本発明の一実施形態に係る鞍乗型燃料電池車両の上面図である。
【図３】水素ボンベの配置構造を示す側面図である。
【図４】水素ボンベの配置構造を車体上方から見た斜視図である。
【図５】水素ボンベの配置構造を示す正面図である。
【図６】図５のＡ−Ａ線断面を示す模式図である。
【図７】水素ボンベの配置構造の変形例を示す模式図である。
【符号の説明】
【００４２】
１…鞍乗型燃料電池車両、３…ヘッドパイプ、６…メインフレーム（車体フレーム）、７…ダウンフレーム（車体フレーム）、９…ガードパイプ（保護部材）、１０Ｌ，１０Ｒ…水素ボンベ（燃料タンク）、１１…カウリング、１３…保護パッド、１４…足乗せ部、１４ａ…前端部、１５…シート、１８…燃料電池、２８…燃料供給ユニット、６１…固定部材、６２Ｌ，６２Ｒ…スライダ、６３…サイド保護パッド、８５…二次電池、６７…栓部材、６８…充填口、９９…供給口、ＷＲ…後輪
【図１】
0005071710.tif 000002
【図２】
0005071710.tif 000003
【図３】
0005071710.tif 000004
【図４】
0005071710.tif 000005
【図５】
0005071710.tif 000006
【図６】
0005071710.tif 000007
【図７】
0005071710.tif 000008